(57)【特許請求の範囲】
【請求項１】
柱が鉄筋コンクリート造である下層部（Ｌ）と、柱が鉄骨造である上層部（Ｈ）とからなる建物（Ｂ）の、下層部最上階（Ｌ１）の鉄筋コンクリート柱（１）と、上層部最下階（Ｈ１）の鉄骨柱２との接合構造であって、
前記鉄筋コンクリート柱（１）の主筋（１１）が、この鉄筋コンクリート柱（１）のコンクリート（１３）の上面（１３Ｔ）よりも上方へ突出しているとともに、この主筋（１１）の突出部（１１ａ）の側面にはネジ溝が形成され、
前記鉄筋コンクリート柱（１）の柱頭部（１Ｔ）に、そのコンクリート（１３）の上面（１３Ｔ）および側面（１３Ｓ）とほぼ接触する状態にこの上面（１３Ｔ）と側面（１３Ｓ）とを被覆可能に形成され、かつその上面（１３Ｔ）において前記主筋（１１）の突出部（１１ａ）を挿通させることが可能な挿通孔（３３）が穿設された鉄骨部材（３）が被せられ、
前記鉄骨部材（３）の上面に前記鉄骨柱（２）が固定され、前記挿通孔（３３）から突出する前記主筋（１１）の突出部（１１ａ）にナット（４）が締結されて前記鉄骨部材（３）が前記鉄筋コンクリート柱（１）に固定されていること
を特徴とする鉄筋コンクリート柱と鉄骨柱との接合構造。
【請求項２】
請求項１に記載の鉄筋コンクリート柱（１）と鉄骨柱（２）との接合構造において、
前記鉄骨部材（３）の上面を構成する鋼板（３１，３４）にネジ（３５）が凸設され、このネジ（３５）が前記鉄骨柱（２）の柱脚部（２Ｂ）に設けられたベースプレート（２１）に穿設されたボルト孔（２２）に挿通されて、このベースプレート（２１）がナット（４）で前記鉄骨部材（３）に締結されていること
を特徴とする鉄筋コンクリート柱と鉄骨柱との接合構造。
【請求項３】
請求項１に記載の鉄筋コンクリート柱（１）と鉄骨柱（２）との接合構造において、
前記鉄骨部材（３）の上面を構成する鋼板（３１，３４）にネジ孔が設けられ、このネジ孔に、前記鉄骨柱（２）の柱脚部（２Ｂ）に設けられたベースプレート（２１）に穿設されたボルト孔（２２）に挿通されたボルトが締め込まれて、このベースプレート（２１）が前記鉄骨部材（３）に締結されていること
を特徴とする鉄筋コンクリート柱と鉄骨柱との接合構造。
【請求項４】
請求項１に記載の鉄筋コンクリート柱（１）と鉄骨柱（２）との接合構造において、
前記鉄骨部材（３）の上面を構成する鋼板（３１，３４）に前記鉄骨柱（２）の柱脚部（２Ｂ）が溶接されて固定されていること
を特徴とする鉄筋コンクリート柱と鉄骨柱との接合構造。
【請求項５】
請求項１〜４のいずれかに記載の鉄筋コンクリート柱（１）と鉄骨柱（２）との接合構造において、
前記鉄骨部材（３）の側面を構成する鋼板（３２）に、その側方に鉄骨梁（５）を接合可能な鋼材（３６）が取り付けられていること
を特徴とする鉄筋コンクリート柱と鉄骨柱との接合構造。
【請求項６】
柱が鉄筋コンクリート造である下層部（Ｌ）と、柱が鉄骨造である上層部（Ｈ）とからなる建物（Ｂ）の、下層部最上階（Ｌ１）の鉄筋コンクリート柱（１）と、上層部最下階（Ｈ１）の鉄骨柱（２）との接合方法であって、
前記鉄筋コンクリート柱（１）を、そのコンクリート（１３）の上面（１３Ｔ）よりも主筋（１１）が上方へ突出するとともにこの主筋（１１）の突出部（１１ａ）の側面にネジ溝が形成された状態に築造し、
前記鉄筋コンクリート柱（１）の柱頭部（１Ｔ）に、そのコンクリート（１３）の上面（１３Ｔ）および側面（１３Ｓ）とほぼ接触する状態にこの上面（１３Ｔ）と側面（１３Ｓ）とを被覆可能に形成され、その上面（１３Ｔ）において前記主筋（１１）の突出部（１１ａ）を挿通させることが可能な挿通孔（３３）が穿設され、その側面側に鉄骨梁（５）を接合可能な鋼材（３６）が取り付けられた鉄骨部材（３）を被せ、
前記鉄筋コンクリート柱（１）の柱頭部（１Ｔ）に被せられた前記鉄骨部材（３）に取り付けられた前記鋼材（３６）に前記鉄骨梁（５）を接合し、
次いで、前記挿通孔（３３）から突出する主筋（１１）の突出部（１１ａ）にナット（４）を締結して前記鉄骨部材（３）を前記鉄筋コンクリート柱（１）に固定するとともに、前記鉄骨部材（３）の上面に前記鉄骨柱（２）を固定すること
を特徴とする鉄筋コンクリート柱と鉄骨柱との接合方法。
【請求項７】
柱が鉄筋コンクリート造である下層部（Ｌ）と、柱が鉄骨造である上層部（Ｈ）とからなる建物（Ｂ）の、下層部最上階（Ｌ１）の鉄筋コンクリート柱（１）と、上層部最下階（Ｈ１）の鉄骨柱（２）との接合方法であって、
前記鉄筋コンクリート柱（１）を、そのコンクリート（１３）の上面（１３Ｔ）よりも主筋（１１）が上方へ突出するとともにこの主筋（１１）の突出部（１１ａ）の側面にネジ溝が形成された状態に築造し、
前記鉄筋コンクリート柱（１）の柱頭部（１Ｔ）に、そのコンクリート（１３）の上面（１３Ｔ）および側面（１３Ｓ）とほぼ接触する状態にこの上面（１３Ｔ）と側面（１３Ｓ）とを被覆可能に形成され、その上面（１３Ｔ）において前記主筋（１１）の突出部（１１ａ）を挿通させることが可能な挿通孔（３３）が穿設されているとともに前記鉄骨柱（２）の柱脚部（２Ｂ）が溶接され、またその側面側に鉄骨梁（５）を接合可能な鋼材（３６）が取り付けられた鉄骨部材（３）を被せ、
前記鉄筋コンクリート柱（１）の柱頭部（１Ｔ）に被せられた前記鉄骨部材（３）に取り付けられた前記鋼材（３６）に前記鉄骨梁（５）を接合し、
次いで、前記挿通孔（３３）から突出する主筋（１１）の突出部（１１ａ）にナット（４）を締結して前記鉄骨部材（３）を前記鉄筋コンクリート柱（１）に固定すること
を特徴とする鉄筋コンクリート柱と鉄骨柱との接合方法。
【発明の詳細な説明】
【０００１】
【発明の属する技術分野】
本発明は、柱が鉄筋コンクリート造である下層部と、柱が鉄骨造である上層部とからなる建物の、下層部最上階の鉄筋コンクリート柱と、上層部最下階の鉄骨柱との接合構造、およびその接合方法に関する。
【０００２】
【従来の技術】
柱が鉄筋コンクリート造である下層部と、柱が鉄骨造である上層部とからなる建物の、下層部最上階の鉄筋コンクリート柱と、上層部最下階の鉄骨柱とを連結させるには、従来、鉄骨柱の柱脚部を鉄筋コンクリート柱内に埋設するか、あるいは、鉄筋コンクリート柱の柱頭部にアンカーボルトを埋設して、このアンカーボルトを利用して、鉄骨柱の柱脚部に形成されたベースプレートを鉄筋コンクリート柱の柱頭部に締結して、上層部の鉄骨フレームを立ち上げる方法がとられている。
【０００３】
このため、鉄筋コンクリート柱のコンクリートを打設する時に、その型枠内に、鉄骨柱の柱脚部やアンカーボルトを据え付けておく必要があり、その据付位置の精度を確保するのが難しいので、上層部の鉄骨フレームを建て込む際に支障をきたすことがあった。
【０００４】
特に、鉄骨柱の柱脚部を鉄筋コンクリート柱内に埋設する場合には、鉄筋コンクリート柱のうち、鉄骨柱の埋設箇所が部分的にＳＲＣ柱になるため、この箇所の鉄筋の配筋性やコンクリートの充填性などの施工性が損なわれる。また、工程上、鉄筋コンクリート柱のコンクリート打設に間に合うように、鉄骨の製作時期を早める必要が生じる。さらに、鉄筋コンクリート柱と鉄骨柱との間の応力伝達を確実なものとするため、鉄骨柱の埋設部分にスタッドボルトなどのシアコネクターを取り付ける必要が生じ、鉄骨柱の製作費用が高くなる。
【０００５】
【発明が解決しようとする課題】
本発明の課題は、柱が鉄筋コンクリート造である下層部と、柱が鉄骨造である上層部とからなる建物の、下層部最上階の鉄筋コンクリート柱に、上層部最下階の鉄骨柱を精度良く簡単に接合することのできる、鉄筋コンクリート柱と鉄骨柱との接合構造、およびその接合方法を提供することである。
【０００６】
【課題を解決するための手段】
請求項１に記載の発明は、例えば図１に示すように、柱が鉄筋コンクリート造である下層部Ｌと、柱が鉄骨造である上層部Ｈとからなる建物Ｂの、下層部最上階Ｌ１の鉄筋コンクリート柱１と、上層部最下階Ｈ１の鉄骨柱２との接合構造であって、
前記鉄筋コンクリート柱１の主筋１１が、この鉄筋コンクリート柱１のコンクリート１３の上面１３Ｔよりも上方へ突出しているとともに、この主筋１１の突出部１１ａの側面にはネジ溝が形成され、
前記鉄筋コンクリート柱１の柱頭部１Ｔに、そのコンクリート１３の上面１３Ｔおよび側面１３Ｓとほぼ接触する状態にこの上面１３Ｔと側面１３Ｓとを被覆可能に形成され、かつその上面１３Ｔにおいて前記主筋１１の突出部１１ａを挿通させることが可能な挿通孔３３が穿設された鉄骨部材３が被せられ、
前記鉄骨部材３の上面に前記鉄骨柱２が固定され、前記挿通孔３３から突出する前記主筋１１の突出部１１ａにナット４が締結されて前記鉄骨部材３が前記鉄筋コンクリート柱１に固定されていること
を特徴とする。
ここで、鉄筋コンクリート柱１の柱頭部１Ｔにおいて、そのコンクリート１３の上面１３Ｔ、側面１３Ｓと、これらを被覆する鉄骨部材３との間に空隙が生じる場合には、この空隙にエポキシ樹脂などの充填材を注入して、鉄筋コンクリート柱１と鉄骨柱２との接合度を高めてもよい。
【０００７】
請求項１に記載の発明によれば、鉄筋コンクリート柱の主筋が、この鉄筋コンクリート柱のコンクリートの上面よりも上方へ突出しているとともに、この突出部の側面にネジ溝が形成され、鉄筋コンクリート柱の柱頭部に、そのコンクリートの上面および側面とほぼ接触する状態にこの上面と側面とを被覆可能に形成され、かつその上面において主筋の突出部を挿通させることが可能な挿通孔が穿設された鉄骨部材が被せられ、鉄骨部材の上面に鉄骨柱が固定され、また挿通孔から突出する主筋の突出部にナットが締結されて鉄骨部材が鉄筋コンクリート柱に固定されているので、鉄骨柱を鉄筋コンクリート柱に簡単に接合することができ、鉄骨部材の鉄筋コンクリート柱に対する接合位置および角度を調整することにより、鉄骨柱の建入れ精度を高めることができる。
また、鉄筋コンクリート柱のコンクリートを打設するときに、この鉄筋コンクリート柱の型枠内に、上層部最下階の鉄骨柱の柱脚部や、この鉄骨柱の柱脚部を鉄筋コンクリート柱の柱頭部に締結するためのアンカーボルトを据え付けておく必要がない。
特に、鉄筋コンクリート柱に鉄骨柱の柱脚部を埋設する場合と比べると、鉄骨柱の製作時期に余裕を持たせることができるので、工程上有利である。また、鉄骨柱の柱脚部に、シアコネクターを設ける必要が無くなり、鉄骨柱の製作費用を節減できる。さらに、鉄筋コンクリート柱の配筋性や、コンクリートの打設性などの施工性が改善される。
【０００８】
請求項２に記載の発明は、例えば図１に示すように、請求項１に記載の鉄筋コンクリート柱１と鉄骨柱２との接合構造において、
鉄骨部材３の上面を構成する鋼板３１，３４にネジ３５が凸設され、このネジ３５が前記鉄骨柱２の柱脚部２Ｂに設けられたベースプレート２１に穿設されたボルト孔２２に挿通されて、このベースプレート２１がナット４で前記鉄骨部材３に締結されていること
を特徴とする。
【０００９】
請求項２に記載の発明によれば、請求項１に記載の発明と同様の効果が得られるとともに、鉄骨部材の上面を構成する鋼板にネジが凸設され、このネジが鉄骨柱の柱脚部に設けられたベースプレートに穿設されたボルト孔に挿通されて、このベースプレートがナットで鉄骨部材に締結されているので、鉄骨柱を鉄筋コンクリート柱に接合する際に、現場溶接などを行う必要がなく、その接合作業が簡単なものとなる。
【００１０】
請求項３に記載の発明は、請求項１に記載の鉄筋コンクリート柱１と鉄骨柱２との接合構造において、
前記鉄骨部材３の上面を構成する鋼板３１，３４にネジ孔が設けられ、このネジ孔に、前記鉄骨柱２の柱脚部２Ｂに設けられたベースプレート２１に穿設されたボルト孔２２に挿通されたボルトが締め込まれて、このベースプレート２１が前記鉄骨部材３に締結されていること
を特徴とする。
【００１１】
請求項３に記載の発明によれば、請求項１に記載の発明と同様の効果が得られるとともに、鉄骨部材の上面を構成する鋼板にネジ孔が設けられ、このネジ孔に、鉄骨柱の柱脚部に設けられたベースプレートに穿設されたボルト孔に挿通されたボルトが締め込まれて、このベースプレートが鉄骨部材に締結されているので、請求項２と同様の効果が得られる。
特に、鉄骨部材３の上面を構成する鋼板３１，３４の厚さを大きくすることで、鉄筋コンクリート柱１と鉄骨柱２との接合強度、剛性を高めることができる。
【００１２】
請求項４に記載の発明は、請求項１に記載の鉄筋コンクリート柱１と鉄骨柱２との接合構造において、
前記鉄骨部材３の上面を構成する鋼板３１，３４に前記鉄骨柱２の柱脚部２Ｂが溶接されて固定されていること
を特徴とする。
【００１３】
請求項４に記載の発明によれば、請求項１に記載の発明と同様の効果が得られるとともに、鉄骨部材の上面を構成する鋼板に予め鉄骨柱の柱脚部が溶接されて固定されているので、この鉄骨部材を鉄筋コンクリート柱にナットで締結するだけで、鉄骨柱を鉄筋コンクリート柱に接合することができる。
【００１４】
請求項５に記載の発明は、例えば図１に示すように、請求項１〜４のいずれかに記載の鉄筋コンクリート柱１と鉄骨柱２との接合構造において、
前記鉄骨部材３の側面を構成する鋼板３２に、その側方に鉄骨梁５を接合可能な鋼材（鋼板）３６が取り付けられていること
を特徴とする。
【００１５】
請求項５に記載の発明によれば、請求項１〜４のいずれかに記載の発明と同様の効果が得られるとともに、鉄骨部材の側面を構成する鋼板に、その側方に鉄骨梁を接合可能な鋼材が取り付けられているので、建物の上層部最下階の床を簡単に構築できる。
【００１６】
請求項６に記載の発明は、例えば図１に示すように、柱が鉄筋コンクリート造である下層部Ｌと、柱が鉄骨造である上層部Ｈとからなる建物Ｂの、下層部最上階Ｌ１の鉄筋コンクリート柱１と、上層部最下階Ｈ１の鉄骨柱２との接合方法であって、
前記鉄筋コンクリート柱１を、そのコンクリート１３の上面１３Ｔよりも主筋１１が上方へ突出するとともにこの主筋１１の突出部１１ａの側面にネジ溝が形成された状態に築造し、
前記鉄筋コンクリート柱１の柱頭部１Ｔに、そのコンクリート１３の上面１３Ｔおよび側面１３Ｓとほぼ接触する状態に、この上面１３Ｔと側面１３Ｓとを被覆可能に形成され、その上面１３Ｔにおいて前記主筋１１の突出部１１ａを挿通させることが可能な挿通孔３３が穿設され、その側面側に鉄骨梁５を接合可能な鋼材３６が取り付けられた鉄骨部材３を被せ、
前記鉄筋コンクリート柱１の柱頭部１Ｔに被せられた前記鉄骨部材３に取り付けられた前記鋼材３６に鉄骨梁５を接合し、
次いで、前記挿通孔３３から突出する主筋１１の突出部１１ａにナット４を締結して前記鉄骨部材３を前記鉄筋コンクリート柱１に固定するとともに、前記鉄骨部材３の上面に前記鉄骨柱２を固定すること
を特徴とする。
【００１７】
請求項６に記載の発明によれば、鉄筋コンクリート柱を、そのコンクリートの上面よりも主筋が上方へ突出するとともにこの主筋の突出部の側面にネジ溝が形成された状態に築造し、鉄筋コンクリート柱の柱頭部に、そのコンクリートの上面および側面とほぼ接触する状態にこの上面と側面とを被覆可能に形成され、その上面において主筋の突出部を挿通させることが可能な挿通孔が穿設され、その側面側に鉄骨梁を接合可能な鋼材が取り付けられた鉄骨部材を被せ、鉄筋コンクリート柱の柱頭部に被せられた鉄骨部材に取り付けられた鋼材に鉄骨梁を接合し、次いで、挿通孔から突出する主筋の突出部にナットを締結して鉄骨部材を鉄筋コンクリート柱に固定するとともに、鉄骨部材の上面に鉄骨柱を固定するので、請求項１に記載の発明と同様の効果が得られる。
【００１８】
請求項７に記載の発明は、柱が鉄筋コンクリート造である下層部Ｌと、柱が鉄骨造である上層部Ｈとからなる建物Ｂの、下層部最上階Ｌ１の鉄筋コンクリート柱１と、上層部最下階Ｈ１の鉄骨柱２との接合方法であって、
前記鉄筋コンクリート柱１を、その主筋１１が、この鉄筋コンクリート柱１のコンクリート１３の上面１３Ｔよりも上方へ突出するとともに、その突出部１１ａの側面にネジ溝が形成された状態に築造し、
前記鉄筋コンクリート柱１の柱頭部１Ｔに、そのコンクリート１３の上面１３Ｔおよび側面１３Ｓとほぼ接触する状態に、この上面１３Ｔと側面１３Ｓとを被覆可能に形成され、かつその上面１３Ｓにおいて前記主筋１１の突出部１１ａを挿通させることが可能な挿通孔３３が穿設されているとともに前記鉄骨柱２の柱脚部２Ｂが溶接され、またその側面側に鉄骨梁５を接合可能な鋼材３６が取り付けられた鉄骨部材３を被せ、
前記鉄筋コンクリート柱１の柱頭部１Ｔに被せられた前記鉄骨部材３に取り付けられた鋼材３６に前記鉄骨梁５を接合し、
次いで、前記挿通孔３３から突出する主筋１１の突出部１１ａにナット４を締結して前記鉄骨部材３を前記鉄筋コンクリート柱１に固定すること
を特徴とする。
【００１９】
請求項７に記載の発明によれば、鉄筋コンクリート柱を、そのコンクリートの上面よりも主筋が上方へ突出するとともにこの主筋の突出部の側面にネジ溝が形成された状態に築造し、鉄筋コンクリート柱の柱頭部に、そのコンクリートの上面および側面とほぼ接触する状態にこの上面と側面とを被覆可能に形成され、その上面において主筋の突出部を挿通させることが可能な挿通孔が穿設されているとともに鉄骨柱の柱脚部が溶接され、またその側面側に鉄骨梁を接合可能な鋼材が取り付けられた鉄骨部材を被せ、鉄筋コンクリート柱の柱頭部に被せられた鉄骨部材に取り付けられた鋼材に鉄骨梁を接合し、次いで、挿通孔から突出する主筋の突出部にナットを締結して鉄骨部材を鉄筋コンクリート柱に固定するので、請求項４に記載の発明と同様の効果が得られる。
【００２０】
【発明の実施の形態】
以下、図面を参照しながら、本発明に係る鉄筋コンクリート柱と鉄骨柱との接合構造、およびその接合方法について、その実施の形態を具体的に説明する。
【００２１】
〔第１の実施の形態〕
本実施の形態の鉄筋コンクリート柱１と鉄骨柱２との接合構造は、図１に示すように、柱が鉄筋コンクリート造である下層部Ｌと、柱が鉄骨造である上層部Ｈとからなる建物Ｂの、下層部最上階Ｌ１の鉄筋コンクリート柱１と、上層部最下階Ｈ１の鉄骨柱２とを接合するために適用されるものであって、その概略は、鉄筋コンクリート柱１の主筋１１が、この鉄筋コンクリート柱１のコンクリート１３の上面１３Ｔよりも上方へ突出しているとともに、この主筋１１の突出部１１ａの側面にはネジ溝が形成され、鉄筋コンクリート柱１の柱頭部１Ｔに、そのコンクリート１３の上面１３Ｔおよび側面１３Ｓとほぼ接触する状態に、この上面１３Ｔと側面１３Ｓとを被覆可能に形成され、かつその上面１３Ｔにおいて主筋１１の突出部１１ａを挿通させることが可能な挿通孔３３が穿設された鉄骨部材３が被せられ、鉄骨部材３の上面に鉄骨柱２が固定され、挿通孔３３から突出する主筋１１の突出部１１ａにナット４が締結されて鉄骨部材３が鉄筋コンクリート柱１に固定されたものである。
【００２２】
ここで、鉄筋コンクリート柱１の柱頭部１Ｔにおいて、そのコンクリート１３の上面１３Ｔ、側面１３Ｓと、これらを被覆する鉄骨部材３との間の微小な空隙には、エポキシ樹脂が充填されている。
【００２３】
また、図１に示すように、鉄骨部材３の上面を構成する鋼板３１の上には補強プレート３４が溶接され、さらにこの補強プレート３４の上にはネジ３５が凸設されている。そして、このネジ３５が鉄骨柱２の柱脚部２Ｂに設けられたベースプレート２１に穿設されたボルト孔２２に挿通されてナット４で締結されることで、鉄骨柱２が鉄骨部材３に固定されている。
【００２４】
また、図１に示すように、鉄骨部材３の側面を構成する鋼板３２には、その側方に鉄骨梁５を接合可能な鋼板（鋼材）３６が溶接されている。
【００２５】
本実施の形態の鉄筋コンクリート柱１と鉄骨柱２との接合方法の手順は、図１（ａ）〜図１（ｆ）に順に示すとおりである。
まず、鉄筋コンクリート柱１を、そのコンクリート１３の上面１３Ｔよりも主筋１１が上方へ突出するとともに、その突出部１１ａの側面にネジ溝が形成された状態に築造する（図１（ａ）、図１（ｂ））。
【００２６】
次いで、鉄筋コンクリート柱１の柱頭部１Ｔに、そのコンクリート１３の上面１３Ｔおよび側面１３Ｓとほぼ接触するように、主筋１１の突出部１１ａを挿通孔３３に挿通させて、鉄骨部材３を被せる。挿通孔３３から突出した主筋１１の突出部１１ａには、ナット４を仮締めしておく（図１（ｃ）、図１（ｄ））。
【００２７】
そして、鉄筋コンクリート柱１に被せられた鉄骨部材３に溶接された鋼板３６を利用して、鉄骨部材３の側方に鉄骨梁５をボルトなどで接合する。鉄骨梁５の上にはデッキプレート６を敷設し、その上面にコンクリート６１を打設する。この際、鉄骨部材３の上面にはコンクリート６１を打設しないでおく（図１（ｅ））。これで、建物Ｂの上層部最下階Ｈ１の床スラブがほぼ構築されたことになる。
【００２８】
そして、各鉄骨部材３の上面に鉄骨柱２を建て入れる。具体的には、鉄骨部材の上面に溶接された補強プレート３４の上面に凸設されたネジ３５を、鉄骨柱２の柱脚部２Ｂに形成されたベースプレート２１のボルト孔２２に挿通させて、ベースプレートの上からナット７で締め付ける（図１（ｆ））。
そして、挿通孔３３から突出する主筋１１の突出部１１ａに仮締めされたナット４を、鉄骨柱２の建入れ位置および角度を調整しつつ本締めし、鉄骨部材３を鉄筋コンクリート柱１に固定する。最後に、鉄骨部材３の上部に、モルタルまたはコンクリート６２を流し込む。
この後、必要に応じ、鉄筋コンクリート柱１の柱頭部１Ｔにおいて、そのコンクリート１３の上面１３Ｔ、側面１３Ｓと、これらを被覆する鉄骨部材３との間にエポキシ樹脂を注入して、鉄筋コンクリート柱１と鉄骨柱２との接合度を高める。
【００２９】
〔第２の実施の形態〕
本実施の形態の鉄筋コンクリート柱と鉄骨柱との接合構造、およびその接合方法は、第１の実施の形態において、鉄骨部材３の上面を構成する鋼板３１，３４にネジ３５が凸設され、このネジ３５が鉄骨柱２の柱脚部２Ｂに設けられたベースプレート２１に穿設されたボルト孔２２に挿通されて、このベースプレート２１をナット４で鉄骨部材３に締結する代わりに、鉄骨部材３の上面を構成する鋼板３１，３４にネジ孔が設けられ、このネジ孔に、鉄骨柱２の柱脚部２Ｂに設けられたベースプレート２１に穿設されたボルト孔２２に挿通されたボルトが締め込まれることで、鉄筋コンクリート柱１に鉄骨柱２が締結されているというものである。
その他の点は、第１の実施の形態に記載の鉄筋コンクリート柱１と鉄骨柱２との接合構造、およびその接合方法とほぼ同様である。
【００３０】
〔第３の実施の形態〕
本実施の形態の鉄筋コンクリート柱と鉄骨柱との接合構造、およびその接合方法は、第１の実施の形態において、鉄骨部材３の上面を構成する鋼板３１，３４にネジ３５が凸設され、このネジ３５が鉄骨柱２の柱脚部２Ｂに設けられたベースプレート２１に穿設されたボルト孔２２に挿通されて、このベースプレート２１をナット４で鉄骨部材３に締結する代わりに、鉄骨部材３の上面を構成する鋼板３１，３４に予め工場で鉄骨柱２の柱脚部２Ｂを溶接して固定し、鉄骨部材３を鉄骨柱２と一体に製作するというものである。
その他の点は、第１の実施の形態に記載の鉄筋コンクリート柱１と鉄骨柱２との接合構造、およびその接合方法とほぼ同様である。
【００３１】
第１〜第３の実施の形態に記載の鉄筋コンクリート柱１と鉄骨梁２との接合構造、およびその接合方法によれば、鉄筋コンクリート柱１の主筋１１が、この鉄筋コンクリート柱１のコンクリート１３の上面１３Ｔよりも上方へ突出しているとともに、その突出部１１ａの側面にネジ溝が形成され、鉄筋コンクリート柱１の柱頭部１Ｔに、そのコンクリート１３の上面１３Ｔおよび側面１３Ｓとほぼ接触する状態にこの上面１３Ｔと側面１３Ｓとを被覆可能に形成され、かつその上面１３Ｔにおいて主筋１１の突出部１１ａを挿通させることが可能な挿通孔３３が穿設された鉄骨部材３が被せられ、鉄骨部材３の上面に鉄骨柱２が固定され、また挿通孔３３から突出する主筋１１の突出部１１ａにナット４が締結されて鉄骨部材３が鉄筋コンクリート柱１に固定されているので、鉄骨柱２を鉄筋コンクリート柱１に簡単に接合することができ、鉄骨部材３の鉄筋コンクリート柱１に対する接合位置および角度を調整することにより、鉄骨柱２の建入れ精度を高めることができる。
また、鉄筋コンクリート柱１のコンクリート１３を打設するときに、この鉄筋コンクリート柱１の型枠Ｍ内に、上層部最下階Ｈ１の鉄骨柱２の柱脚部２Ｂや、この鉄骨柱２の柱脚部２Ｂを鉄筋コンクリート柱１の柱頭部１Ｔに締結するためのアンカーボルトを据え付けておく必要がない。
特に、鉄筋コンクリート柱に鉄骨柱の柱脚部を埋設する場合と比べると、鉄骨柱の製作時期に余裕を持たせることができるので、工程上有利である。また、鉄骨柱の柱脚部に、シアコネクターを設ける必要が無くなり、鉄骨柱の製作費用を節減できる。さらに、鉄筋コンクリート柱の配筋性や、コンクリートの打設性などの施工性が改善される。
【００３２】
また、鉄骨部材３の上面を構成する鋼板３１，３４にネジ３５が凸設され、このネジ３５が鉄骨柱２の柱脚部２Ｂに設けられたベースプレート２１に穿設されたボルト孔２２に挿通されて、このベースプレート２１がナット４で鉄骨部材３に締結されているので、鉄骨柱２を鉄筋コンクリート柱１に接合する際に、現場溶接などを行う必要がなく、その接合作業が簡単なものとなる。
【００３３】
また、鉄骨部材３の側面を構成する鋼板３２に、その側方に鉄骨梁５を接合可能な鋼材３６が取り付けられているので、建物Ｂの上層部最下階Ｈ１の床を簡単に構築できる。
【００３４】
第２の実施の形態に記載の鉄筋コンクリート柱と鉄骨梁との接合構造、およびその接合方法によれば、第１の実施の形態と同様の効果が得られるとともに、鉄骨部材３の上面を構成する鋼板３１，３４にネジ孔が設けられ、このネジ孔に、鉄骨柱２の柱脚部２Ｂに設けられたベースプレート２１に穿設されたボルト孔２２に挿通されたボルトが締め込まれて、このベースプレート２１が鉄骨部材３に締結されているので、特に、鉄骨部材３の上面を構成する鋼板３１，３４の厚さを大きくすることで、鉄筋コンクリート柱１と鉄骨柱２との接合強度、剛性を高めることができる。
【００３５】
第３の実施の形態に記載の鉄筋コンクリート柱と鉄骨梁との接合構造、およびその接合方法によれば、第１の実施の形態と同様の効果が得られるとともに、鉄骨部材３の上面を構成する鋼板３１，３４に予め鉄骨柱２の柱脚部２Ｂが溶接されて固定されているので、この鉄骨部材３を鉄筋コンクリート柱１にナット４で締結するだけで、鉄骨柱２を鉄筋コンクリート柱１に接合することができる。
【００３６】
なお、本発明の鉄筋コンクリート柱と鉄骨柱との接合構造、およびその接合方法は、上記実施の形態に限定されることなく、本発明の趣旨を逸脱しない範囲内おいて、種々の改良並びに設計の変更を行っても良い。
例えば、上記各実施の形態においては、鉄骨部材３の側面を構成する鋼板３２に、鉄骨梁５を接合可能なブラケット状の鋼板３６を溶接しているが、これに代えて、鉄骨部材３の側面を構成する鋼板に鉄骨梁の端部を溶接し、これに鉄骨梁の中央部を接合するようにしても良い。
その他、具体的な細部構造等についても適宜に変更可能であることは勿論である。
【００３７】
【発明の効果】
請求項１に記載の発明によれば、鉄筋コンクリート柱の主筋が、この鉄筋コンクリート柱のコンクリートの上面よりも上方へ突出しているとともに、この突出部の側面にネジ溝が形成され、鉄筋コンクリート柱の柱頭部に、そのコンクリートの上面および側面とほぼ接触する状態にこの上面と側面とを被覆可能に形成され、かつその上面において主筋の突出部を挿通させることが可能な挿通孔が穿設された鉄骨部材が被せられ、鉄骨部材の上面に鉄骨柱が固定され、また挿通孔から突出する主筋の突出部にナットが締結されて鉄骨部材が鉄筋コンクリート柱に固定されているので、鉄骨柱を鉄筋コンクリート柱に簡単に接合することができ、鉄骨部材の鉄筋コンクリート柱に対する接合位置および角度を調整することにより、鉄骨柱の建入れ精度を高めることができる。
また、鉄筋コンクリート柱のコンクリートを打設するときに、この鉄筋コンクリート柱の型枠内に、上層部最下階の鉄骨柱の柱脚部や、この鉄骨柱の柱脚部を鉄筋コンクリート柱の柱頭部に締結するためのアンカーボルトを据え付けておく必要がない。
特に、鉄筋コンクリート柱に鉄骨柱の柱脚部を埋設する場合と比べると、鉄骨柱の製作時期に余裕を持たせることができるので、工程上有利である。また、鉄骨柱の柱脚部に、シアコネクターを設ける必要が無くなり、鉄骨柱の製作費用を節減できる。さらに、鉄筋コンクリート柱の配筋性や、コンクリートの打設性などの施工性が改善される。
【００３８】
請求項２に記載の発明によれば、請求項１に記載の発明と同様の効果が得られるとともに、鉄骨部材の上面を構成する鋼板にネジが凸設され、このネジが鉄骨柱の柱脚部に設けられたベースプレートに穿設されたボルト孔に挿通されて、このベースプレートがナットで鉄骨部材に締結されているので、鉄骨柱を鉄筋コンクリート柱に接合する際に、現場溶接などを行う必要がなく、その接合作業が簡単なものとなる。
【００３９】
請求項３に記載の発明によれば、請求項１に記載の発明と同様の効果が得られるとともに、鉄骨部材の上面を構成する鋼板にネジ孔が設けられ、このネジ孔に、鉄骨柱の柱脚部に設けられたベースプレートに穿設されたボルト孔に挿通されたボルトが締め込まれて、このベースプレートが鉄骨部材に締結されているので、請求項２と同様の効果が得られる。
特に、鉄骨部材３の上面を構成する鋼板３１，３４の厚さを大きくすることで、鉄筋コンクリート柱１と鉄骨柱２との接合強度、剛性を高めることができる。
【００４０】
請求項４に記載の発明によれば、請求項１に記載の発明と同様の効果が得られるとともに、鉄骨部材の上面を構成する鋼板に予め鉄骨柱の柱脚部が溶接されて固定されているので、この鉄骨部材を鉄筋コンクリート柱にナットで締結するだけで、鉄骨柱を鉄筋コンクリート柱に接合することができる。
【００４１】
請求項５に記載の発明によれば、請求項１〜４のいずれかに記載の発明と同様の効果が得られるとともに、鉄骨部材の側面を構成する鋼板に、その側方に鉄骨梁を接合可能な鋼材が取り付けられているので、建物の上層部最下階の床を簡単に構築できる。
【００４２】
請求項６に記載の発明によれば、鉄筋コンクリート柱を、そのコンクリートの上面よりも主筋が上方へ突出するとともにこの主筋の突出部の側面にネジ溝が形成された状態に築造し、鉄筋コンクリート柱の柱頭部に、そのコンクリートの上面および側面とほぼ接触する状態にこの上面と側面とを被覆可能に形成され、その上面において主筋の突出部を挿通させることが可能な挿通孔が穿設され、その側面側に鉄骨梁を接合可能な鋼材が取り付けられた鉄骨部材を被せ、鉄筋コンクリート柱の柱頭部に被せられた鉄骨部材に取り付けられた鋼材に鉄骨梁を接合し、次いで、挿通孔から突出する主筋の突出部にナットを締結して鉄骨部材を鉄筋コンクリート柱に固定するとともに、鉄骨部材の上面に鉄骨柱を固定するので、請求項１に記載の発明と同様の効果が得られる。
【００４３】
請求項７に記載の発明によれば、鉄筋コンクリート柱を、そのコンクリートの上面よりも主筋が上方へ突出するとともにこの主筋の突出部の側面にネジ溝が形成された状態に築造し、鉄筋コンクリート柱の柱頭部に、そのコンクリートの上面および側面とほぼ接触する状態にこの上面と側面とを被覆可能に形成され、その上面において主筋の突出部を挿通させることが可能な挿通孔が穿設されているとともに鉄骨柱の柱脚部が溶接され、またその側面側に鉄骨梁を接合可能な鋼材が取り付けられた鉄骨部材を被せ、鉄筋コンクリート柱の柱頭部に被せられた鉄骨部材に取り付けられた鋼材に鉄骨梁を接合し、次いで、挿通孔から突出する主筋の突出部にナットを締結して鉄骨部材を鉄筋コンクリート柱に固定するので、請求項４に記載の発明と同様の効果が得られる。
【図面の簡単な説明】
【図１】本発明に係る鉄筋コンクリート柱と鉄骨柱との接合構造、およびその接合方法の施工手順の一例を示す、側面図である。
【符号の説明】
１      鉄筋コンクリート柱
１Ｔ      柱頭部
１１    主筋
１１ａ  突出部
１３    コンクリート
１３Ｔ  上面
１３Ｓ  側面
２      鉄骨柱
２Ｂ      柱脚部
２１    ベースプレート
２２    ボルト孔
３      鉄骨部材
３１    上面を構成する鋼板
３２    側面を構成する鋼板
３３    挿通孔
３４    上面を構成する鋼板（補強プレート）
３５    ネジ
３６    （鉄骨梁を接合可能な）鋼材（鋼板）
４      ナット
５      鉄骨梁
Ｂ      建物
Ｌ      下層部
Ｌ１    下層部最上階
Ｈ      上層部
Ｈ１    上層部最下階
【図１】
0003771177.tif 000002